(57)【要約】      （修正有）【課題】ブラシを有するノズルを提供する。【解決手段】ブラシを有するノズルについては、内部に流路が設置される本体１を備える。且つ、本体は第一端１１及び第二端１２を有し、上述の流路は第一端に気流の流入に用いられる少なくとも１つの入口１５が設けられ、且つ第二端に気流を流出するための複数の出口１６が設けられる。また、第二端には複数のブラシ毛２３を有するブラシ部２が設置される。この構造により、気流がブラシ毛の間に噴出し、気流及びブラシ毛の協力作用により埃を除去する。【選択図】図２
0003198303.tif 000002
【実用新案登録請求の範囲】
【請求項１】
ブラシを有するノズルにおいて、
第一端と第二端を具備する本体を含み、
該第一端にはコネクタ（Connector）が設置され、
前記本体の内部には流路（Flow path）が設置され、
該流路は、該コネクタに気流を流入するための入口が少なくとも１つ設けられ、且つ前記第二端に気流を流出するための出口が複数設けられ、
前記第二端にはブラシ部が設置される
ことを特徴とするブラシを有するノズル。
【請求項２】
前記流路は前記コネクタに２つの入口が設けられ、且つ２つの入口の方向が相互に垂直であることを特徴とする、請求項１記載のブラシを有するノズル。
【請求項３】
前記ブラシ部は接続部材を備え、
該接続部材の一端には複数のブラシ毛が設けられ、他端には本体の第二端に套設される套設口が形成され、且つ各出口はブラシ毛の間に延伸されることを特徴とする、請求項１記載のブラシを有するノズル。
【請求項４】
前記本体には、前記接続部材の套設口に密接されるフランジが設置されることを特徴とする、請求項３記載のブラシを有するノズル。
【請求項５】
前記第二端には複数の穴部が設けられ、
前記ブラシ部は複数のブラシ毛を備え、該ブラシ部の一端が各穴部に接続・固定される
ことを特徴とする、請求項１記載のブラシを有するノズル。
【請求項６】
ブラシ毛が複数で集結されてブラシ毛束が形成され、それによって複数のブラシ毛束が形成され、且つ各ブラシ毛束は一対一で各穴部に接続・固定される
ことを特徴とする、請求項５記載のブラシを有するノズル。
【考案の詳細な説明】
【技術分野】
【０００１】
本考案は、ブラシを有するノズルに関する。
【背景技術】
【０００２】
一般的に使用されるノズルは空気圧縮機に接続され、気流を噴出させることで埃を除去する目的を達成する。
【考案の概要】
【考案が解決しようとする課題】
【０００３】
しかしながら、前記従来のノズルは、噴出口の口径が小さく、一回の噴射の到達範囲が
限定され、故に使用時間が長くなってしまう欠点があった。また、ガス噴射による埃除去方式ではコーナーの箇所に乱流が形成され、埃を吹き飛ばす力量が低下し、効果が低下し、ブラシで掃除する必要がある場合があった。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、ブラシを有するノズルを提供することを主目的とする。
【課題を解決するための手段】
【０００６】
上述した課題を解決し、目的を達成するために、本考案に係るブラシを有するノズルにおいては、第一端と第二端を具備する本体を含み、
該第一端にはコネクタ（Connector）が設置され、
前記本体の内部には流路（ Flow path）が設置され、
該流路は、該コネクタに気流を流入するための入口が少なくとも１つ設けられ、且つ前記第二端に気流を流出するための出口が複数設けられ、
前記第二端にはブラシ部が設置される。
【０００７】
請求項２に記載のブラシを有するノズルは請求項１において、前記流路は前記コネクタに２つの入口が設けられ、且つ２つの入口の方向が相互に垂直である。
【０００８】
請求項３に記載のブラシを有するノズルは請求項１において、
前記ブラシ部は接続部材を備え、
該接続部材の一端には複数のブラシ毛が設けられ、他端には本体の第二端に套設される套設口が形成され、且つ各出口はブラシ毛の間に延伸される。
【０００９】
請求項４に記載のブラシを有するノズルは請求項３において、前記本体には、前記接続部材の套設口に密接されるフランジが設置される。
【００１０】
請求項５に記載のブラシを有するノズルは請求項１において、前記第二端には複数の穴部が設けられ、前記ブラシ部は複数のブラシ毛を備え、該ブラシ部の一端が各穴部に接続・固定される。
【００１１】
請求項６に記載のブラシを有するノズルは請求項５において、ブラシ毛が複数で集結されてブラシ毛束が形成され、それによって複数のブラシ毛束が形成され、且つ各ブラシ毛束は一対一で各穴部に接続・固定される。
【考案の効果】
【００１２】
本考案は、ノズルの出口箇所にブラシが設置され、気流がブラシ毛の間の隙間から噴出することで埃を除去し、同時にブラシで掃除するため、両者の協力作用により埃の除去効果を強化する。
【図面の簡単な説明】
【００１３】
【図１】本考案の第１実施形態に係るブラシを有するノズルの外観斜視図である。
【図２】本考案の第１実施形態に係るブラシを有するノズルの展開図である。
【図３】本考案の第１実施形態に係るブラシを有するノズルの部分の展開図である。
【図４】本考案の第１実施形態に係るブラシを有するノズルの部分の組合せ図である。
【図５】本考案の第２実施形態に係るブラシを有するノズルの外観斜視図である。
【図６】本考案の第２実施形態及びガス供給源の組合せ図である。
【図７】本考案の第２実施形態及びガス供給源の組合せ図である。
【図８】本考案の第３実施形態に係るブラシを有するノズルの展開図である。
【図９】図８に示すＡ−Ａ方向に沿ってなる断面図である。
【図１０】図８に示すＢ−Ｂ方向に沿ってなる断面図である。
【考案を実施するための形態】
【００１４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１５】
＜第１実施形態＞
以下、第１実施形態を図１〜４に基づいて説明する。本考案のブラシを有するノズルは、第一端１１及び第二端１２を有すると共に前記第一端１１にはコネクタ１３が設けられる本体１を備える。本実施態様において、２つの端は前記本体１の対向する二側に位置される。
【００１６】
なお、前記本体１の内部には流路１４が設置され、流路１４は前記コネクタ１３の箇所に少なくとも１つの入口が設けられ、且つ前記第二端１２には複数の出口１６が設けられる。本実施態様において、前記本体１には箒の頭に類似する形状が形成され、内部の流路１４の分布は図３及び図４に示す。前記コネクタ１３には入口１５が設けられ、前記入口１５の後は、前記流路１４が両側に向けて横方向に拡開し、且つ前記第二端１２の箇所には４つの出口１６が設けられ、前記出口１６から外界に連通される。これにより、前記本体１はその入口１５がガスガン等のガス供給源に接続され、気流が前記入口１５から前記流路１４に進入し、前記出口１６から噴出される。
【００１７】
一方で、前記本体１の第二端１２にはブラシ部２が接続され、前記ブラシ部２は接続部材２１及び複数のブラシ毛２３で構成される。詳細には、前記接続部材２１の何れかの一端には前記接続部材２１から延出される複数のブラシ毛２３が固定され、他端には套設口２２が形成され、これにより前記本体１の第二端１２に套設される。換言すれば、前記第二端１２のサイズは前記接続部材２１の套設口２２よりわずかに小さく、このため第４図に示すように、前記第二端１２が前記套設口２２に進入し、且つ各出口１６がブラシ毛２３の間に進入する。図２に示すように、前記本体１には前記套設口２２に対応するフランジ１７が設置され、前記套設口２２が前記第二端１２を装入させた後、前記套設口２２が前記フランジ１７に密接に当接され、これにより前記套設口２２が封鎖される。また、前記接続部材２１は前記套設口２２に近接する箇所に複数の螺合孔２４が設けられ、且つ前記螺合孔２４を貫通させて前記本体１に固定されるネジ２５をそれぞれ有し、前記接続部材２１及び前記本体１が固定されて一体となる。
【００１８】
上述の構造により、前記ブラシ部２が前記本体１に固定され、ガス供給源に接続されて気流が導入される際に、気流が前記本体１内の流路１４を通過して４つの出口１６から噴出される。さらには、気流がブラシ毛２３の間から噴出することで、噴射により埃を除去する。
【００１９】
本考案は固有のノズル機能を有するほか、ノズルとブラシ部２との協同作業という長所を有する。即ち、気流を噴射させて埃を除去すると同時に、ブラシ部２により補助的に掃除を行うことで、埃の除去能力を強化する。また、気流が物体の構造の死角の箇所で乱流を起こして噴射による埃の除去能力が減衰した場合、ブラシ部２を前記死角の箇所で使用して掃除を行うことで、埃除去効果を確保させる。
【００２０】
＜第２実施形態＞
図５から図７は本考案の第２実施形態を示す図である。本実施形態と上述の第１実施形態の差異は、前記本体１のコネクタ１３に２つの入口１５Ａ及び入口１５Ｂが設けられる点である。詳細には、２つの入口１５Ａ及び入口１５Ｂが相互に垂直の方向に連接されて連通され、且つ前記流路に連接される。これにより、それぞれ図６及び図７に示すように、２つの入口１５Ａ及び入口１５Ｂの何れか一つがガス供給源（図５に示すガスガン）に接続され、もう一方の未接続の入口は封鎖部材（図示せず）により封鎖され、前述の第１実施形態と同じように使用される。本実施形態の長所は、各入口１５Ａ及び入口１５Ｂにはガスガン４が異なる方向に装設され、実際の需要に基づいてガスガン４が接続される入口を変更でき、これにより環境空間に対応して気流の噴出方向及びブラシ部２の操作角度を調整させ、使用上の利便性を向上させる点である。
【００２１】
＜第３実施形態＞
本考案の第３実施形態の構成を図８から図１０に示す。本実施態様において、第一端５１及び第二端５２を有する本体５を備え、且つ前記第一端５１にはコネクタ５３が設けられる。本実施形態では、２つの端が前記本体５の対向する二側に位置される。
【００２２】
続いて、前記本体５には流路５４が内設され、前記流路５４は前記コネクタ５３の箇所に少なくとも１つの入口５５Ａ及び入口５５Ｂが設けられると共に前記第二端５２の箇所には複数の出口５６が設けられる。本実施態様において、前記本体５には箒の頭に類似する形状が形成され、内部の流路５４の分布状況は第９図に図示するようになる。前記コネクタ５３には２つの入口５５Ａ及び入口５５Ｂが設けられ、２つの入口５５Ａ及び入口５５Ｂの方向は相互に垂直になり、２つの入口５５Ａ及び入口５５Ｂの後は、前記流路５４が両側に横方向に拡開され、且つ前記第二端５２の箇所には４つの出口５６が設けられ、前記出口５６により外界に連通される。これにより、前記本体５の何れかの入口５５Ａ或いは入口５５Ｂがガスガン等のガス供給源に接続され、気流が前記入口５５Ａ或いは入口５５Ｂから前記本体５の流路５４に進入し、前記出口５６から噴出される。
【００２３】
且つ、前記本体５の第二端５２にはブラシ部６が接続される。本実施態様において、前記第二端５２の端面には複数の穴部５７が凹設され（図１０参照）、各穴部５７は前記流路５４に連通されない。前記ブラシ部６は複数のブラシ毛を備え、一部のブラシ毛が収束されて束になり、複数のブラシ毛束６１がさらに形成され、各穴部５７にはブラシ毛束６１がそれぞれ設けられる。上述のブラシ毛束６１は一端が各穴部５７に接続・固定され、他端が穴部５７の外に向けて延伸され、且つ各出口がブラシ毛束６１の間に隠れる。
【００２４】
上述の構造により、ブラシ毛束６１がノズルとなる本体５に固定され、前述の２つの実施形態に係るノズル及びブラシ部６の協同作業により、埃除去能力の強化を達成させる。また、各入口５５Ａ及び入口５５Ｂにはガスガンが異なる方向に装設され、これにより環境空間に対応させて気流の噴出方向及びブラシ部６の操作角度の調整を行い、使用上の利便性を向上させる。
【００２５】
従って、本明細書に開示された実施例は、本考案を限定するものではなく、説明するためのものであり、このような実施例によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号ノ説明】
【００２６】
１  本体
１１  第一端
１２  第二端
１３  コネクタ
１４  流路
１５Ａ  入口
１５Ａ  入口
１５Ｂ  入口
１６  出口
１７  フランジ
２  ブラシ部
２１  接続部材
２２  套設口
２３  ブラシ毛
２４  螺合孔
２５  ネジ
４  ガスガン
５  本体
５１  第一端
５２  第二端
５３  コネクタ
５４  流路
５５Ａ  入口
５５Ｂ  入口
５６  出口  
５７  穴部  
６  ブラシ部
６１  ブラシ毛束
【図１】
0003198303.tif 000003
【図２】
0003198303.tif 000004
【図３】
0003198303.tif 000005
【図４】
0003198303.tif 000006
【図５】
0003198303.tif 000007
【図６】
0003198303.tif 000008
【図７】
0003198303.tif 000009
【図８】
0003198303.tif 000010
【図９】
0003198303.tif 000011
【図１０】
0003198303.tif 000012